(57)【要約】【課題】互いに組み合わせて内部に針部を収納するとともに、組み合わせた後に平行なずれが発生することのない画鋲を提供する。【解決手段】  頭部と、該頭部に形成された接続面とを含んでなり、該接続面上には中心点が形成され、接続面の中心から少し離れた傾いた位置に頭部から外方向へ延伸した針部が設けられ、接続面上には頭部の内部に向けて延伸した挿入孔が形成される。【選択図】  図６
0003128501.tif 000002
【実用新案登録請求の範囲】
【請求項１】
頭部と、
該頭部に形成された接続面とを含んでなり、
該接続面上には中心点が形成され、接続面の中心から少し離れた傾いた位置に頭部から外方向へ延伸した針部が設けられ、接続面上には頭部の内部に向けて延伸した挿入孔が形成されることを特徴とする画鋲。
【請求項２】
前記針部と挿入孔はそれぞれ接続面の中心点から等しい距離に設けられ、且つ針部と挿入孔をつなぐ線がちょうど接続面の中心点を通過することを特徴とする請求項１に記載の画鋲。
【請求項３】
前記針部は一端が頭部に接続し、他端の末端に円錐状の針先を具えてなることを特徴とする請求項１に記載の画鋲。
【請求項４】
前記頭部の挿入孔の直径が針部の外径よりも大きく形成することを特徴とする請求項１に記載の画鋲。
【請求項５】
前記頭部は一端が平たな側面を具え、他端が丸い頭状の柱体を呈し、平らな側面を接続面とすることを特徴とする請求項１に記載の画鋲。
【請求項６】
一対の画鋲を含んでなり、該画鋲はそれぞれ頭部と、該頭部上に互いに接続する接続面を具えてなり、該接続面上には中心に中心点を具えてなり、一対の画鋲の接続面の偏った位置にそれぞれ頭部から外方向に延伸した針部と、接続面上から頭部の内部に向けて延伸した挿入孔を具えてなり、該挿入孔を互いの針部に対応させて針部を挿入して収納することができる構造からなることを特徴とする画鋲の連結体。
【請求項７】
前記針部と挿入孔はそれぞれ接続面の中心点から等しい距離に形成され、針部と挿入孔をつなぐ線がちょうど接続面の中心点を通過することを特徴とする請求項６に記載の画鋲の連結体。
【請求項８】
前記一対の画鋲に設けられた針部と針部を収納するように対応させる挿入孔は係合するサイズに形成することを特徴とする請求項６に記載の画鋲の連結体。
【請求項９】
前記針部は頭部に接続する端縁部に対向する一端の末端に円錐状の針先を具えてなることを特徴とする請求項６に記載の画鋲の連結体。
【考案の詳細な説明】
【技術分野】
【０００１】
この考案は、画鋲に関し、特に掲示物を壁面などに固定するために使用する画鋲に関する。
【背景技術】
【０００２】
従来の画鋲は、頭部と、該頭部上に接続した針部とを具えてなり、書類など貼り付けたい物に針を刺して掲示板など貼り付けたい場所に針を紙などとともに差し込んで書類などを板や壁などに貼着する。
【０００３】
画鋲の針部は細長い針状を呈し、人を傷つける危険性を潜在的に具えている。  画鋲の使用における安全性を考慮して従来は、画鋲をケースに入れて収納する方法が多く採用されていた。
【０００４】
図１は、画鋲を示したものである。図面によれば、画鋲ａはほとんどが側面に２つの凹孔ｂを形成して２個以上の画鋲の針部と該凹孔ｂに対応させて挿入し、一体に重ねて接続するとともに、画鋲の針部ｃが内部に隠されて人を傷つける事故を有効に防ぐことができる。
【０００５】
図面によれば、画鋲の針部ｃは頭部ａの側面の中心に設けられ、２つの凹孔ｂがそれぞれ針部ｃの両側に形成されているため、２つの画鋲を互いに組み合わせると図２に開示するように、互いに平行にずれた状態に組み合わさる。
【考案の開示】
【考案が解決しようとする課題】
【０００６】
この考案は互いに組み合わせて内部に針部を収納するとともに、組み合わせた後に平行なずれが発生することのなく、２つの画鋲を組み合わせて収納することができる画鋲を提供することを課題とする。
【課題を解決するための手段】
【０００７】
そこで、本考案者は従来の技術に見られる欠点に鑑みて鋭意研究を重ねた結果、頭部と、該頭部に形成された接続面とを含んでなり、該接続面上には中心点が形成され、接続面の中心から少し離れた傾いた位置に頭部から外方向へ延伸した針部が設けられ、接続面上には頭部の内部に向けて延伸した挿入孔が形成される画鋲によって課題を解決できる点に着眼し、かかる知見に基づいて本考案を完成させた。
【０００８】
以下、この考案について具体的に説明する。
請求項１に記載の円柱釘は、頭部と、
該頭部に形成された接続面とを含んでなり、
該接続面上には中心点が形成され、接続面の中心から少し離れた傾いた位置に頭部から外方向へ延伸した針部が設けられ、接続面上には頭部の内部に向けて延伸した挿入孔が形成される。
【０００９】
請求項２に記載の画鋲は、請求項１における針部と挿入孔がそれぞれ接続面の中心点から等しい距離に設けられ、且つ針部と挿入孔をつなぐ線がちょうど接続面の中心点を通過する。
【００１０】
請求項３に記載の画鋲は、請求項１における針部が一端が頭部に接続し、他端の末端に円錐状の針先を具えてなる。
【００１１】
請求項４に記載の画鋲は、請求項１における頭部の挿入孔の直径が針部の外径よりも大きく形成する。
【００１２】
請求項５に記載の画鋲は、請求項１における頭部が一端が平たな側面を具え、他端が丸い頭状の柱体を呈し、平らな側面を接続面とする。
【００１３】
請求項６に記載の画鋲は、一対の画鋲を含んでなり、該画鋲はそれぞれ頭部と、該頭部上に互いに接続する接続面を具えてなり、該接続面上には中心に中心点を具えてなり、一対の画鋲の接続面の偏った位置にそれぞれ頭部から外方向に延伸した針部と、接続面上から頭部の内部に向けて延伸した挿入孔を具えてなり、該挿入孔を互いの針部に対応させて針部を挿入して収納する。
【００１４】
請求項７に記載の画鋲の連結体は、請求項６における針部と挿入孔がそれぞれ接続面の中心点から等しい距離に形成され、針部と挿入孔をつなぐ線がちょうど接続面の中心点を通過する。
【００１５】
請求項８に記載の画鋲の連結体は、請求項６における一対の画鋲に設けられた針部と針部を収納するように対応させる挿入孔が係合するサイズに形成する。
【００１６】
請求項９に記載の画鋲の連結体は、請求項６における針部が頭部に接続する端縁部に対向する一端の末端に円錐状の針先を具えてなる。
【考案の効果】
【００１７】
この考案による画鋲は、２つの画鋲を接続して針部を収納してずれが発生することなく組み合わせることができるため、使用者が針部で傷つくことを防ぐとともに、美観を増加させるという効果を有する。
【考案を実施するための最良の形態】
【００１８】
この考案は、互いに組み合わせて内部に針部を隠すことができるとともに、組み合わせた後に平行なずれが発生することのない画鋲であって、頭部と、該頭部に形成された接続面とを含んでなり、該接続面上には中心点が形成され、接続面の中心から少し離れた傾いた位置に頭部から外方向へ延伸した針部が設けられ、接続面上には頭部の内部に向けて延伸した挿入孔が形成される構造と特徴を詳述するために具体的な実施例を挙げ、図示を参照にして以下に説明する。
【実施例】
【００１９】
図３に開示するように、画鋲１０は、一端に平らな側面を具え、他端が丸い頭状の柱体を呈する頭部１２と、頭部１２に形成された平らな側面の接続面１２２と、該接続面１２２上に接続し、頭部１２から外方向に延伸した針部１４と、頭部１２の内側に延伸して形成された挿入孔１６とを含んでなる。
【００２０】
該針部１４は頭部１２に接続する端縁部に対向する他端の末端に円錐状の針先１４２を具えてなり、書類などの掲示物に刺して貼り付けたい場所に差し込んで掲示物を壁面などに固定することができる。
【００２１】
図４は、この考案の画鋲の接続面１２２が形成された一端を示した平面図である。図面によれば、頭部１２の接続面１２２上には中心点１００が設けられ、図に開示するような円形の接続面１２２の場合、中心点１００が円心になる。針部１４と挿入孔１６はそれぞれ接続面１２２の中心から離れた傾よった位置に形成される。
【００２２】
また、針部１４と挿入孔１６はそれぞれ接続面１２２の中心点１００から等しい距離Ｄに位置し、且つ針部１４と挿入孔１６をつないだ線Ｌはちょうど接続面１２２の中心点１００上を通過する。
【００２３】
前述の構造による画鋲１０は、画鋲１０、１０’の針部１４、１４’と挿入孔１６、１６’を交差させて向き合わせ、挿入孔１６、１６’にそれぞれの針部１４、１４’を互いに挿入すると、２つの画鋲１０、１０’の接続面１２２、１２２’が合わさり、図５及び図６に開示するように円筒状の画鋲の連結体２０になる。
【００２４】
画鋲１０、１０’の針部１４、１４’をスムーズに他方の挿入孔１６、１６’に挿入し、相互に挿接して組み合わせた後、簡単に外れることがないようにするため、頭部１２、１２’の挿入孔１６、１６’の孔径は針部１４、１４’の外径よりも大きくなるように形成することが好ましい。しかしながら、針部１４、１４’と針部１４、１４’の挿入孔１６、１６’は互いに収納するため係合するサイズでなければならない。
【００２５】
上述の構造から、この考案の画鋲は互いに組み合わせられるように設計され、針部１４、１４’及び挿入孔１６、１６’がそれぞれ接続面１２２、１２２’上の傾いた位置に設けられているため、画鋲１０を互いに組み合わせた時に互いに平行なずれが発生することなく円筒状の画鋲の連結体２０に組み合わせることができる。
【００２６】
画鋲の連結体２０のそれぞれの画鋲１０、１０’は、頭部１２、１２’に異なる材質を合わせて、表面が異なる色彩になるように形成するか、透明の材質や非透明の材質を合わせて形成し、円筒状の画鋲の連結体２０が視覚的な効果を具えるように形成することができる。
【００２７】
この考案の画鋲１０に形成された針部１４と挿入孔１６は図４に開示するような配置に限らず、針部１４と挿入孔１６を図７に開示するような配置に形成してもよい。針部１４と挿入孔１６はそれぞれ接続面１２２の傾いた位置に形成されるが、接続面１２２の中心点１００から等しい距離に限られるものではなく、針部１４と挿入孔１６をつなぐ線Ｌが接続面１２２の中心点１００を必ず通過する必要はない。よって、２つの画鋲１０は接続面１２２に設けられた針部１４と挿入孔１６が互いに挿接できれば画鋲１０を互いに組み合わせる目的を達成することができる。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２９】
【図１】従来の画鋲を示した斜視図である。
【図２】従来の画鋲を組み合わせた状態を示した断面図である。
【図３】この考案の画鋲を示した斜視図である。
【図４】この考案の画鋲を接続面から示した平面図である。
【図５】この考案の画鋲を２つ組み合わせた状態を示した斜視図である。
【図６】この考案の画鋲を２つ組み合わせた状態を示した断面図である。
【図７】この考案の画鋲を接続面から示した平面図である。
【符号の説明】
【００３０】
１０        画鋲
１０’      画鋲
１００      中心点
１２        頭部
１２’      頭部
１２２      接続面
１２２’    接続面
１４        針部
１４’      針部
１４２      針先
１６        挿入孔
１６’      挿入孔
２０        画鋲の連結体
【図１】
0003128501.tif 000003
【図２】
0003128501.tif 000004
【図３】
0003128501.tif 000005
【図４】
0003128501.tif 000006
【図５】
0003128501.tif 000007
【図６】
0003128501.tif 000008
【図７】
0003128501.tif 000009
【手続補正書】
【提出日】平成18年11月15日(2006.11.15)
【手続補正１】
【補正対象書類名】実用新案登録請求の範囲
【補正対象項目名】請求項１
【補正方法】変更
【補正の内容】
【請求項１】
頭部と、該頭部に形成された接続面とを含んでなり、該接続面上には中心点が形成され、接続面の該中心点から外れた位置に頭部から外方向へ延伸した針部が設けられ、接続面上には頭部の内部に向けて延伸した挿入孔が形成されることを特徴とする画鋲。
【手続補正２】
【補正対象書類名】実用新案登録請求の範囲
【補正対象項目名】請求項６
【補正方法】変更
【補正の内容】
【請求項６】
一対の画鋲を含んでなり、該画鋲はそれぞれの頭部と、該頭部上に互いに接続する接続面を具えてなり、該接続面上には中心に中心点を具えてなり、且つ一対をなすそれぞれの画鋲の該接続面の該中心点から外れた位置にそれぞれ頭部から外方向に延伸した針部と、接続面上から頭部の内部に向けて延伸した挿入孔を具えてなり、該挿入孔と互いの針部に対応させて針部を挿入して収納することができる構造からなることを特徴とする画鋲の連結体。
【手続補正３】
【補正対象書類名】明細書
【補正対象項目名】０００７
【補正方法】変更
【補正の内容】
【０００７】  そこで、本考案は従来の技術に見られる欠点に鑑みて鋭意研究を重ねた結果、頭部と、該頭部に形成された接続面とを含んでなり、該接続面上には中心点が形成され、接続面の該中心点から外れた位置に頭部から外方向へ延伸した針部が設けられ、接続面上には頭部の内部に向けて延伸した挿入孔が形成される画鋲によって課題を解決できる点に着眼し、かかる知見に基いて本考案を完成させた。
【手続補正４】
【補正対象書類名】明細書
【補正対象項目名】０００８
【補正方法】変更
【補正の内容】
【０００８】  以下、この考案について具体的に説明する。  請求項１に記載の画鋲は、頭部と、  該頭部に形成された接続面とを含んでなり、  該接続面上には中心点が形成され、接続面の該中心点から外れた位置に頭部から外方向へ延伸した針部が設けられ、接続面上には頭部の内部に向けて延伸した挿入孔が形成される画鋲
【手続補正５】
【補正対象書類名】明細書
【補正対象項目名】００１３
【補正方法】変更
【補正の内容】
【００１３】  請求項６に記載の画鋲の連結体は、一対の画鋲を含んでなり、該画鋲はそれぞれの頭部と、該頭部上に互いに接続する接続面を具えてなり、該接続面上には中心に中心点を具えてなり、且つ一対をなすそれぞれの画鋲の該接続面の該中心点から外れた位置にそれぞれ頭部から外方向に延伸した針部と、接続面上から頭部の内部に向けて延伸した挿入孔を具えてなり、該挿入孔と互いの針部に対応させて針部を挿入して収納する。
【手続補正６】
【補正対象書類名】明細書
【補正対象項目名】００１８
【補正方法】変更
【補正の内容】
【００１８】  この考案は、互いに組み合わせて内部に針部を隠すことができるとともに、組み合わせた後に平行なずれが発生することのない画鋲であって、頭部と、該頭部に形成された接続面とを含んでなり、該接続面上には中心点が形成され、接続面の該中心点から外れた位置に頭部から外方向へ延伸した針部が設けられ、接続面上には頭部の内部に向けて延伸した挿入孔が形成されることを特徴とする画鋲。
【手続補正７】
【補正対象書類名】明細書
【補正対象項目名】００２１
【補正方法】変更
【補正の内容】
【００２１】  図４は、この考案の画鋲の接続面１２２が形成された一端を示した平面図である。図面によれば、頭部１２の接続面１２２上には中心点１００が設けられ、図に開示するようにな円形の接続面１２２の場合、中心点１００が円心になる。針部１４と挿入孔１６はそれぞれ接続面１２２の該中心点から外れた位置に形成される。
【手続補正８】
【補正対象書類名】明細書
【補正対象項目名】００２５
【補正方法】変更
【補正の内容】
【００２５】  上述の構造から、この考案の画鋲は互いに組み合わせられるように設計され、針部１４、１４’及び挿入孔１６、１６’がそれぞれ接続面１２２、１２２’の中心点から外れた位置に設けられているため、画鋲１０を互いに組み合わせた時に互いに平行なずれが発生することなく円筒状の画鋲の連結体２０に組み合わせることができる。
【手続補正９】
【補正対象書類名】明細書
【補正対象項目名】００２７
【補正方法】変更
【補正の内容】
【００２７】  この考案の画鋲１０に形成された針部１４と挿入孔１６は図４に開示するような配置に限らず、針部１４と挿入孔１６を図７に開示するような配置に形成してもよい。針部１４と挿入孔１６はそれぞれ接続面１２２の中心点から外れた位置に形成されるが、接続面１２２の中心点１００から等しい距離に限られるものではなく、針部１４と挿入孔１６をつなぐ線Ｌが接続面１２２の中心点１００を必ず通過する必要はない。よって、２つの画鋲１０は接続面１２２に設けられた針部１４と挿入孔１６が互いに挿接できれば画鋲１０を互いに組み合わせる目的を達成することができる。